(57)【要約】【課題】  通信システム全体として効率的にＱｏＳ制御を行う通信制御方法、及び、ネットワーク装置を提供する。【解決手段】  端末装置１１と端末装置１３との間における通信のＱｏＳ制御を行う通信制御方法が、端末装置１１の識別子と端末装置１３の識別子とをネットワーク装置１００に端末装置１１が通知する工程Ａと、端末装置１１によって通知された端末装置１１の識別子と端末装置１３の識別子とに基づいて、端末装置１１が接続する無線基地局２１の負荷情報と端末装置１３が接続する無線基地局２３の負荷情報とをネットワーク装置１００が取得する工程Ｂと、工程Ｂで取得した無線基地局２１の負荷情報と無線基地局２３の負荷情報とに基づいて、ＱｏＳ制御の方法をネットワーク装置１００が決定する工程Ｃと、工程Ｃで決定したＱｏＳ制御の方法に基づいて、ネットワーク装置１００がＱｏＳ制御を行う工程Ｄとを具備する。【選択図】  図１
2005143056.tif 000002
【特許請求の範囲】
【請求項１】
第１の端末装置と第２の端末装置との間における通信のＱｏＳ制御を行う通信制御方法であって、
前記第１の端末装置が、当該第１の端末装置の識別子と前記第２の端末装置の識別子とをネットワーク装置に通知する工程Ａと
前記ネットワーク装置が、前記第１の端末装置によって通知された前記第１の端末装置の識別子と前記第２の端末装置の識別子とに基づいて、前記第１の端末装置が接続する第１の無線基地局の負荷情報と前記第２の端末装置が接続する第２の無線基地局の負荷情報とを取得する工程Ｂと、
前記ネットワーク装置が、前記工程Ｂで取得した前記第１の無線基地局の負荷情報と前記第２の無線基地局の負荷情報とに基づいて、前記ＱｏＳ制御の方法を決定する工程Ｃと、
前記ネットワーク装置が、前記工程Ｃで決定した前記ＱｏＳ制御の方法に基づいて、前記ＱｏＳ制御を行う工程Ｄとを具備することを特徴とする通信制御方法。
【請求項２】
第１の端末装置と第２の端末装置との間における通信のＱｏＳ制御を行うネットワーク装置であって、
前記第１の端末装置によって通知された前記第１の端末装置の識別子と前記第２の端末装置の識別子とに基づいて、前記第１の端末装置が接続する第１の無線基地局の負荷情報と前記第２の端末装置が接続する第２の無線基地局の負荷情報とを取得する取得部と、
前記取得部によって取得された前記第１の無線基地局の負荷情報と前記第２の無線基地局の負荷情報とに基づいて、前記ＱｏＳ制御の方法を決定するＱｏＳ制御方法決定部と、
前記ＱｏＳ制御方法決定部によって決定された前記ＱｏＳ制御の方法に基づいて、前記ＱｏＳ制御を行うＱｏＳ制御部とを具備することを特徴とするネットワーク装置。
【請求項３】
前記取得部は、前記第１の端末が接続可能な第３の無線基地局の負荷情報を取得し、
前記ＱｏＳ制御方法決定部は、さらに、前記取得部によって取得された前記第３の無線基地局の負荷情報に基づいて、前記ＱｏＳ制御の方法を決定することを特徴とする請求項２に記載のネットワーク装置。
【請求項４】
前記取得部は、前記第１の端末装置と前記第１の無線基地局との間における第１の接続環境に係る情報を取得し、
前記ＱｏＳ制御方法決定部は、さらに、前記取得部によって取得された前記第１の接続環境に係る情報に基づいて、前記ＱｏＳ制御の方法を決定することを特徴とする請求項２又は請求項３に記載のネットワーク装置。
【請求項５】
前記取得部は、前記第１の端末装置と前記第２の端末装置との間における第１のセッションに係る情報を取得し、
前記ＱｏＳ制御方法決定部は、さらに、前記取得部によって取得された前記第１のセッションに係る情報に基づいて、前記ＱｏＳ制御の方法を決定することを特徴とする請求項２乃至請求項４に記載のネットワーク装置。
【請求項６】
前記取得部は、前記第１の無線基地局と当該第１の無線基地局を介して第２のセッションを確立している第３の端末装置との間における第２の接続環境に係る情報を取得し、
前記ＱｏＳ制御方法決定部は、さらに、前記取得部によって取得された前記第２の接続環境に係る情報に基づいて、前記ＱｏＳ制御の方法を決定することを特徴とする請求項２乃至請求項５に記載のネットワーク装置。
【請求項７】
前記取得部は、前記第２のセッションに係る情報を取得し、
前記ＱｏＳ制御方法決定部は、さらに、前記取得部によって取得された前記第２のセッションに係る情報に基づいて、前記ＱｏＳ制御の方法を決定することを特徴とする請求項２乃至請求項６に記載のネットワーク装置。
【請求項８】
前記ＱｏＳ制御方法決定部は、前記第１の接続環境の変更を前記第１の端末装置に要求することを、前記ＱｏＳ制御の方法として決定することを特徴とする請求項４乃至請求項７に記載のネットワーク装置。
【請求項９】
前記ＱｏＳ制御方法決定部は、前記第１のセッションに係る条件の変更を前記第１の端末装置に要求することを、前記ＱｏＳ制御の方法として決定することを特徴とする請求項５乃至請求項８に記載のネットワーク装置。
【請求項１０】
前記ＱｏＳ制御方法決定部は、前記第２の接続環境の変更を前記第３の端末装置に要求することを、前記ＱｏＳ制御の方法として決定することを特徴とする請求項６乃至請求項９に記載のネットワーク装置。
【請求項１１】
前記ＱｏＳ制御方法決定部は、前記第２のセッションに係る条件の変更を前記第３の端末装置に要求することを、前記ＱｏＳ制御の方法として決定することを特徴とする請求項７乃至請求項１０に記載のネットワーク装置。
【発明の詳細な説明】
【技術分野】
【０００１】
本発明は、第１の端末装置と第２の端末装置との間における通信のＱｏＳ制御を行う通信制御方法、及び、ネットワーク装置に関する。
【背景技術】
【０００２】
パケット交換網においてＱｏＳ制御を行う場合に、各データパケットにＱｏＳ制御を行うための識別情報を挿入し、ＱｏＳ制御を行う各装置がその識別情報を基にＱｏＳ制御を行う方法が知られている。例えば、このＱｏＳ制御方法として、IEEE802.1Qで規定されているVLANTagフィールド内のPriority識別子を使用した優先制御、及び、IPヘッダ中のTOS（Type Of Service）フィールドに挿入されるPriority識別子を使用した優先制御などが挙げられる。
【０００３】
また、パケット交換網で構成するベストエフォート型のネットワークにおいても、通常帯域を確保する技術も知られている。例えば、この技術は、ATM(Asynchronous Transfer Mode)網やFR(Frame Relay)網などにおいて、予め設定されたセッションに対して優先制御を行うことで通信帯域を保証する技術である。これらの技術は、企業における拠点間を接続する回線などで利用されている。
【０００４】
ＩＰレイヤにおいても通常帯域を保証するためのプロトコルが存在する。その代表的なものとしては、ＲＳＶＰ(Resource ReServation Protocol)と呼ばれるプロトコルが知られている。ＲＳＶＰでは、通信リソースを確保するためのSignalingプロトコルによって、通信帯域が保証される。なお、ＲＳＶＰは、ＩＰレイヤにおいて上記ＡＴＭ網やＦＲ網において行われるものと同様の機能を実現するものである。
【特許文献１】特開２００３−２５０１７９号公報
【発明の開示】
【発明が解決しようとする課題】
【０００５】
しかしながら、IEEE802.11e等によって規定された無線ＬＡＮなどの無線ネットワークにおけるＱｏＳ制御方法においては、一つの基地局が独立してＱｏＳ制御を行っているため、通信システム全体として効率的にＱｏＳ制御を行うことができないという問題があった。
【０００６】
そこで、本発明は、上述の問題を解決するためになされたものであり、通信システム全体として効率的にＱｏＳ制御を行うことができる通信制御方法、及び、ネットワーク装置を提供することを目的とする。
【課題を解決するための手段】
【０００７】
本発明の第１の特徴は、第１の端末装置と第２の端末装置との間における通信のＱｏＳ制御を行う通信制御方法が、第１の端末装置の識別子と第２の端末装置の識別子とをネットワーク装置に第１の端末装置が通知する工程Ａと、第１の端末装置によって通知された第１の端末装置の識別子と第２の端末装置の識別子とに基づいて、第１の端末装置が接続する第１の無線基地局の負荷情報と第２の端末装置が接続する第２の無線基地局の負荷情報とをネットワーク装置が取得する工程Ｂと、工程Ｂで取得した第１の無線基地局の負荷情報と第２の無線基地局の負荷情報とに基づいて、ＱｏＳ制御の方法をネットワーク装置が決定する工程Ｃと、工程Ｃで決定したＱｏＳ制御の方法に基づいて、ネットワーク装置がＱｏＳ制御を行う工程Ｄとを要旨とする。
【０００８】
本発明の第２の特徴は、第１の端末装置と第２の端末装置との間における通信のＱｏＳ制御を行うネットワーク装置が、第１の端末装置によって通知された第１の端末装置の識別子と第２の端末装置の識別子とに基づいて、第１の端末装置が接続する第１の無線基地局の負荷情報と第２の端末装置が接続する第２の無線基地局の負荷情報とを取得する取得部と、取得部によって取得された第１の無線基地局の負荷情報と第２の無線基地局の負荷情報とに基づいて、ＱｏＳ制御の方法を決定するＱｏＳ制御方法決定部とＱｏＳ制御方法決定部によって決定されたＱｏＳ制御の方法に基づいて、ＱｏＳ制御を行うＱｏＳ制御部とを具備することを要旨とする。
【０００９】
かかる特徴によれば、ネットワーク装置が、第１の無線基地局及び第２の無線基地局の負荷情報に基づいてＱｏＳ制御の方法を決定し、決定したＱｏＳ制御の方法に基づいて第１の端末装置と第２の端末装置の間における通信のＱｏＳ制御を行うことにより、ネットワーク装置は、一つの無線基地局のみによってＱｏＳ制御が行われる場合に比べ、通信システム全体として効率的にＱｏＳ制御を行うことができる。
【００１０】
また、ネットワーク装置が、無線基地局の負荷情報に基づいて決定されたＱｏＳ制御の方法に基づいてＱｏＳ制御を行うことにより、ネットワーク装置は、無線通信帯域の使用状況をリアルタイムに反映し、動的で柔軟なＱｏＳ制御を行うことができる。
【００１１】
なお、本発明の第２の特徴において、取得部が、第１の端末が接続可能な第３の無線基地局の負荷情報を取得し、ＱｏＳ制御方法決定部が、さらに、取得部によって取得された第３の無線基地局の負荷情報に基づいて、ＱｏＳ制御の方法を決定することが好ましい。
【００１２】
また、本発明の第２の特徴において、取得部が、第１の端末装置と第１の無線基地局との間における第１の接続環境に係る情報を取得し、ＱｏＳ制御方法決定部が、さらに、取得部によって取得された第１の接続環境に係る情報に基づいて、ＱｏＳ制御の方法を決定することが好ましい。
【００１３】
さらに、本発明の第２の特徴において、取得部が、第１の端末装置と第２の端末装置との間における第１のセッションに係る情報を取得し、ＱｏＳ制御方法決定部が、さらに、取得部によって取得された第１のセッションに係る情報に基づいて、ＱｏＳ制御の方法を決定することが好ましい。
【００１４】
また、本発明の第２の特徴において、取得部が、第１の無線基地局と当該第１の無線基地局を介して第２のセッションを確立している第３の端末装置との間における第２の接続環境に係る情報を取得し、ＱｏＳ制御方法決定部が、さらに、取得部によって取得された第２の接続環境に係る情報に基づいて、ＱｏＳ制御の方法を決定することが好ましい。
【００１５】
さらに、本発明の第２の特徴において、取得部が、第２のセッションに係る情報を取得し、ＱｏＳ制御方法決定部は、さらに、取得部によって取得された第２のセッションに係る情報に基づいて、ＱｏＳ制御の方法を決定することが好ましい。
【００１６】
さらに、本発明の第２の特徴において、ＱｏＳ制御方法決定部が、第１の接続環境の変更を第１の端末装置に要求することを、ＱｏＳ制御の方法として決定することが好ましい。
【００１７】
また、ＱｏＳ制御方法決定部が、第１のセッションに係る条件の変更を第１の端末装置に要求することを、ＱｏＳ制御の方法として決定することが好ましい。
【００１８】
さらに、本発明の第２の特徴において、ＱｏＳ制御方法決定部が、第２の接続環境の変更を第３の端末装置に要求することを、ＱｏＳ制御の方法として決定することが好ましい。
【００１９】
また、本発明の第２の特徴において、ＱｏＳ制御方法決定部が、第２のセッションに係る条件の変更を第３の端末装置に要求することを、ＱｏＳ制御の方法として決定することが好ましい。
【発明の効果】
【００２０】
本発明によれば、通信システム全体として効率的にＱｏＳ制御を行う通信制御方法、及び、ネットワーク装置を提供することができる。
【発明を実施するための最良の形態】
【００２１】
（本発明の一実施形態に係るネットワーク装置の構成）
以下、図１を参照して、本発明の一実施形態に係るネットワーク装置の構成について説明する。図１は、本実施形態に係るネットワーク装置が適用される環境を示す図である。
【００２２】
同図に示すように、本実施形態に係るネットワーク装置１００は、複数の端末装置１１乃至端末装置１３及び複数の無線基地局２１乃至無線基地局２３とともに、ＩＰ（Ｉｎｔｅｒｎｅｔ  Ｐｒｏｔｏｃｏｌ）を利用した通信ネットワークを構成している。
【００２３】
本実施形態において、端末装置１１乃至端末装置１３は、各々無線基地局２１乃至無線基地局２３とともに、ＩＥＥＥ８０２．１１に準拠した無線ＬＡＮを構成しているものとする。なお、端末装置１１乃至端末装置１３には、無線ＬＡＮ  ＳＴＡ（Ｓｔａｔｉｏｎ）が内蔵されているものとする。また、無線基地局２１乃至無線基地局２３は、ＡＰ（Ａｃｃｅｓｓ  Ｐｏｉｎｔ）を構成する。
【００２４】
なお、本実施形態においては、端末装置１１と端末装置１３との間においてＶｏＩＰ通信を行う場合を例に説明する。また、ＶｏＩＰ通信における呼制御プロトコルとして、ＳＩＰ（ＲＦＣ３２６１で規定されている“ＳＩＰ：Ｓｅｓｓｉｏｎ  Ｉｎｉｔｉａｔｉｏｎ  Ｐｒｏｔｏｃｏｌ”）を用いるものとする。
【００２５】
端末装置１１は、電源をオンにした際に、端末装置１１と端末装置１１が接続する無線基地局２１との間における接続環境に係る情報（例えば、端末装置１１のＵＲＩ（Ｕｎｉｆｏｒｍ  Ｒｅｓｏｕｒｃｅ  Ｉｄｅｎｔｉｉｅｒ）及びＩＰアドレス、無線基地局２１及び接続可能な無線基地局（例えば、無線基地局２２）のＢＳＳＩＤ（Ｂａｓｉｃ  Ｓｅｒｖｉｃｅ  Ｓｅｔ  ＩＤｅｎｔｉｆｉｅｒ）、受信電界強度、使用チャネル等）を位置管理部３０（又は、セッション制御部４０）に通知する。なお、端末装置１１は、電源をオンにした際に、最も電波の受信環境がよい無線基地局と接続するものとする。
【００２６】
また、端末装置１１は、端末装置１３とセッションを確立する際に、上述の接続環境に係る情報、及び、端末装置１１と端末装置１３との間におけるセッションに係る情報（例えば、Ｃｏｄｅｃの種別を示す情報等）をセッション制御部４０に通知する。ここで、端末装置１１は、接続環境に係る情報及びセッションに係る情報を、上述のＳＩＰにおけるＳＩＰ  ＩＮＶＩＴＥに挿入することによって、セッション制御部４０に通知するものとする。
【００２７】
なお、端末装置１１は、端末装置１１の移動等によって、端末装置１１が接続する無線基地局（又は、接続可能な無線基地局）が変更した場合等のように、接続環境に係る情報が変更した場合には、変更後の接続環境に係る情報を位置管理部３０（又は、セッション制御部４０）に通知する。
【００２８】
無線基地局２１及び無線基地局２３は、端末装置１１と端末装置１３との間におけるセッションが確立された場合には、ＩＥＥＥ８０２．１１等に規定されたＱｏＳ制御方法に基づいて、端末装置１１と端末装置１３との間におけるデータ通信のＱｏＳ制御を行う。
【００２９】
ネットワーク装置１００は、位置管理部３０と、セッション制御部４０と、基地局管理ＤＢ５０と、ＱｏＳ制御方法決定部６０とを具備する。
【００３０】
位置管理部３０は、ＳＩＰサーバのＲｅｇｉｓｔｒａｔｉｏｎサーバとして機能するものとする。具体的には、位置管理部３０は、端末装置１１によって通知された接続環境に係る情報に含まれる各情報を関連付けて管理する。
【００３１】
セッション制御部４０は、上述のＳＩＰにおけるＳＩＰサーバとして機能するものとする。また、セッション制御部４０は、端末装置１１と無線基地局２１との間における接続環境に係る情報、及び、端末装置１１と端末装置１３との間におけるセッションに係る情報を端末装置１１から取得する。さらに、セッション制御部４０は、端末装置１３のＩＰアドレス（又は、ＳＩＰ  ＵＲＩ）に基づいて位置管理部３０を参照して、端末装置１３が接続する無線基地局２３のＢＳＳＩＤを取得する。なお、セッション制御部４０は、端末装置１１のＩＰに基づいて位置管理部３０を参照して、無線基地局２１のＢＳＳＩＤを取得してもよい。
【００３２】
また、セッション制御部４０は、無線基地局２１及び無線基地局２３のＢＳＳＩＤに基づいて基地局管理ＤＢ５０を参照して、無線基地局２１及び無線基地局２３のＩＰアドレスを取得する。さらに、セッション制御部４０は、無線基地局２１及び無線基地局２３のＩＰアドレスに基づいて、無線基地局２１及び無線基地局２３にそれぞれの負荷情報を要求し、無線基地局２１（第１の無線基地局）及び無線基地局２３（第２の無線基地局）の負荷情報を取得する。
【００３３】
なお、セッション制御部４０は、ＳＮＭＰ（ＲＦＣ１１５７“Ａ  Ｓｉｍｐｌｅ  Ｎｅｔｗｏｒｋ  Ｍａｎａｇｅｍｅｎｔ  Ｐｒｏｔｏｃｏｌ”）等を用いて、無線基地局２１及び無線基地局２３の負荷情報をＭＩＢ（Ｍａｎａｇｅｍｅｎｔ  Ｉｎｆｏｒｍａｔｉｏｎ  Ｂａｓｅ）情報として取得するものとする。
【００３４】
セッション制御部４０は、上記の動作によって取得した接続環境に係る情報とセッションに係る情報と無線基地局２１及び無線基地局２３の負荷情報とをＱｏＳ制御方法決定部６０に通知する。
【００３５】
また、セッション制御部４０は、接続環境に係る情報とセッションに係る情報と無線基地局２１及び無線基地局２３の負荷情報とに基づいてＱｏＳ制御方法決定部６０が決定したＱｏＳ制御の方法に基づいて、端末装置１１（第１の端末）と端末装置１３（第２の端末）との間における通信のＱｏＳ制御を行う。
【００３６】
なお、セッション制御部４０は、ＩＣＭＰ  Ｅｃｈｏ  Ｒｅｑｕｅｓｔ（いわゆるＰｉｎｇ）を利用して、端末装置１１と端末装置１３との間におけるセッションが継続しているか否かを判断する。また、セッション制御部４０は、セッションが継続していないと判断した場合には、セッションの終了をＱｏＳ制御方法決定部６０に通知する。
【００３７】
基地局管理ＤＢ５０は、無線基地局のＢＳＳＩＤとＩＰアドレスとを関連付けて管理するものである。なお、無線基地局のＢＳＳＩＤとＩＰアドレスとの関連付けは、管理者によって予め行われてもよく、基地局管理ＤＢ５０と無線基地局との間において自立的に行われてもよい。
【００３８】
ＱｏＳ制御方法決定部６０は、セッション制御部４０によって通知された情報（接続環境に係る情報、セッションに係る情報、無線基地局２１（第１の無線基地局）及び無線基地局２３（第２の無線基地局）の負荷情報に基づいて、端末装置１１と端末装置１３との間における通信のＱｏＳ制御を行うか否かを決定する。例えば、ＱｏＳ制御方法決定部６０は、無線基地局２１の負荷情報に基づいて、音声通信とデータ通信との帯域使用割合を判断し、端末装置１１と端末装置１３との間におけるセッションを確立した場合に、音声通信及びデータ通信の品質を共に確保することができるか否かを確認する。
【００３９】
また、ＱｏＳ制御方法決定部６０は、ＱｏＳ制御を行うと判断した場合には、どのような方法でＱｏＳ制御を行うか決定する。
【００４０】
具体的には、ＱｏＳ制御方法決定部６０は、セッションに係る情報（Ｃｏｄｅｃの種別を示す情報）に基づいて、セッションに係る条件（Ｃｏｄｅｃの種別）の変更を端末装置１１に要求することを、ＱｏＳ制御の方法として決定する。例えば、ＱｏＳ制御方法決定部６０は、セッションに係る条件がＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）勧告のＧ．７１１（必要帯域６４ｋｂｐｓ）である場合に、セッションに係る条件をＩＴＵ−Ｔ勧告のＧ．７２９（必要帯域８ｋｂｐｓ）に変更するように要求することを、ＱｏＳ制御の方法として決定する。
【００４１】
また、ＱｏＳ制御方法決定部６０は、接続環境に係る情報に基づいて、接続環境（使用周波数帯域や接続する無線基地局）の変更を、端末装置１１に要求することを、ＱｏＳ制御の方法として決定する。
【００４２】
さらに、ＱｏＳ制御方法決定部６０は、無線基地局２１を介して他のセッション（第２のセッション）を確立している他の端末装置（第３の端末装置）に、他のセッションに係る条件（Ｃｏｄｅｃの種別）や他の端末装置と無線基地局２１との間における接続環境（使用周波数帯域や接続する無線基地局）の変更を要求することを、ＱｏＳ制御の方法として決定する。
【００４３】
なお、本実施形態において、位置管理部３０及びセッション制御部４０及び基地局管理ＤＢ５０及びＱｏＳ制御方法決定部６０は、ネットワーク装置１００に具備されているが、これに限定されるものではなく、ネットワーク上に独立して設けられていてもよい。
【００４４】
（本発明の一実施形態に係るネットワーク装置の動作）
以下、図２乃至図４を参照して、本発明の一実施形態に係るネットワーク装置の動作について説明する。図２は、本実施形態において、端末装置１１が接続する基地局を変更する処理を示すフロー図である。
【００４５】
同図に示すように、ステップ１１において、端末装置１１は、電源をオンにする（又は、接続する無線基地局を変更する）。
【００４６】
ステップ１２において、端末装置１１は、無線基地局からの電波を受信できるか否か確認する。また、端末装置１１は、電波を受信できる場合には、ステップ１４の処理に移り、電波を受信できない場合には、ステップ１３の処理に移る。
【００４７】
ステップ１３において、端末装置１１は、ネットワークに接続することができないと判断する。
【００４８】
ステップ１４において、端末装置１１は、受信できる電波のうち最も電波環境がよい無線基地局に接続する。
【００４９】
ステップ１５において、端末装置１１は、端末装置１１と端末装置１１が接続する無線基地局との間における接続環境に係る情報を生成する。
【００５０】
ステップ１６において、端末装置１１は、生成した接続環境に係る情報を位置管理部３０に通知する。なお、位置管理部３０は、通知された接続環境に係る情報に含まれる各情報を関連付けて記憶する。
【００５１】
図３は、本実施形態におけるＱｏＳ制御処理のフローを示す図である。同図に示すように、ステップ２１において、端末装置１１は、接続環境に係る情報とセッションに係る情報とをセッション制御部４０に通知する。
【００５２】
ステップ２２において、セッション制御部４０は、端末装置１１によって通知された接続環境に係る情報とセッションに係る情報と取得する。
【００５３】
ステップ２３において、セッション制御部４０は、端末装置１３のＩＰアドレスに基づいて位置管理部３０を参照して、無線基地局２３のＢＳＳＩＤを取得する。
【００５４】
ステップ２４において、セッション制御部４０は、接続環境に係る情報に含まれる無線基地局２１のＢＳＳＩＤと無線基地局２３のＢＳＳＩＤとに基づいて基地局管理ＤＢ５０を参照して、無線基地局２１のＩＰアドレスと無線基地局２３のＩＰアドレスとを取得する。
【００５５】
ステップ２５において、セッション制御部４０は、無線基地局２１のＩＰアドレスと無線基地局２３のＩＰアドレスとに基づいて、無線基地局２１及び無線基地局２３の負荷情報を取得する。
【００５６】
ステップ２６において、セッション制御部４０は、接続環境に係る情報とセッションに係る情報と無線基地局２１及び無線基地局２３の負荷情報とをＱｏＳ制御方法決定部６０に通知する。
【００５７】
ステップ２７において、ＱｏＳ制御方法決定部６０は、端末装置１１と端末装置１３との間における通信で、ＱｏＳ制御が必要であるか否かを判断する。また、ＱｏＳ制御方法決定部６０は、ＱｏＳ制御が必要であると判断した場合には、ステップ２９の処理に移り、ＱｏＳ制御が必要でないと判断した場合には、ステップ２８の処理に移る。
【００５８】
ステップ２８において、ＱｏＳ制御方法決定部６０は、ＱｏＳ制御を行わないこと（「無制御」）をＱoＳ制御の方法として決定し、決定したＱｏＳ制御の方法をセッション制御部４０に通知する。
【００５９】
ステップ２９において、ＱｏＳ制御方法決定部６０は、ＱｏＳ制御の方法を決定する。具体的には、以下に示す通りである。図４は、本実施形態におけるＱｏＳ制御方法の決定処理を示すフロー図である。
【００６０】
ステップ２９−１において、ＱｏＳ制御方法決定部６０は、端末装置１１と端末装置１３との間におけるセッションに係る条件（Ｃｏｄｅｃの種別）を変更することによって、セッションを確立することができるか否か判断する。また、ＱｏＳ制御方法決定部６０は、セッションを確立することができると判断した場合には、ステップ２９−２の処理に移り、セッションを確立することができないと判断した場合には、ステップ２９−４の処理に移る。
【００６１】
ステップ２９−２において、ＱｏＳ制御方法決定部６０は、セッションに係る条件の変更を、セッション制御部４０を介して端末装置１１に要求する。
【００６２】
ステップ２９−３において、端末装置１１は、要求されたセッションに係る条件の変更を受けるか否かを回答する。また、端末装置１１がセッションに係る条件の変更を受けた場合には、ステップ２９−１４の処理が行われ、セッションに係る条件の変更を拒否した場合には、ステップ２９−４の処理が行われる。
【００６３】
ステップ２９−４において、ＱｏＳ制御方法決定部６０は、端末装置１１と無線基地局２１との間における接続環境（使用周波数帯域や接続する無線基地局）を変更することによって、セッションを確立することができるか否か判断する。また、ＱｏＳ制御方法決定部６０は、セッションを確立することができると判断した場合には、ステップ２９−５の処理に移り、セッションを確立することができないと判断した場合には、ステップ２９−７の処理に移る。
【００６４】
ステップ２９−５において、ＱｏＳ制御方法決定部６０は、接続環境の変更を、セッション制御部４０を介して端末装置１１に要求する。
【００６５】
ステップ２９−６において、端末装置１１は、要求された接続環境の変更を受けるか否かを回答する。また、端末装置１１が接続環境の変更を受けた場合には、ステップ２９−１４の処理が行われ、接続環境の変更を拒否した場合には、ステップ２９−７の処理が行われる。
【００６６】
ステップ２９−７において、ＱｏＳ制御方法決定部６０は、他の端末装置が確立している他のセッションに係る条件（Ｃｏｄｅｃの種別）を変更することによって、端末装置１１と端末装置１３との間におけるセッションを確立することができるか否か判断する。また、ＱｏＳ制御方法決定部６０は、セッションを確立することができると判断した場合には、ステップ２９−８の処理に移り、セッションを確立することができないと判断した場合には、ステップ２９−１０の処理に移る。
【００６７】
ステップ２９−８において、ＱｏＳ制御方法決定部６０は、セッションに係る条件の変更を、セッション制御部４０を介して他の端末装置に要求する。
【００６８】
ステップ２９−９において、他の端末装置は、要求されたセッションに係る条件の変更を受けるか否かを回答する。また、他の端末装置がセッションに係る条件の変更を受けた場合には、ステップ２９−１４の処理が行われ、セッションに係る条件の変更を拒否した場合には、ステップ２９−１０の処理が行われる。
【００６９】
ステップ２９−１０において、ＱｏＳ制御方法決定部６０は、他のセッションを確立している他の端末装置と端末装置１１と間における他の接続環境を変更することによって、セッションを確立することができるか否か判断する。また、ＱｏＳ制御方法決定部６０は、セッションを確立することができると判断した場合には、ステップ２９−１１の処理に移り、セッションを確立することができないと判断した場合には、ステップ２９−１３の処理に移る。
【００７０】
ステップ２９−１１において、ＱｏＳ制御方法決定部６０は、接続環境の変更を、セッション制御部４０を介して他の端末装置に要求する。
【００７１】
ステップ２９−１２において、他の端末装置は、要求された接続環境の変更を受けるか否かを回答する。また、他の端末装置が接続環境の変更を受けた場合には、ステップ２９−１４の処理が行われ、接続環境の変更を拒否した場合には、ステップ２９−１３の処理が行われる。
【００７２】
上述のように、本実施形態において、ＱｏＳ制御方法決定部６０は、端末装置１１のセッションに係る条件、端末装置１１の接続環境、他の端末装置のセッションに係る条件、他の端末装置の接続環境の順に変更を要求しているが、これに限定されるものではなく、ＱｏＳ制御を行う際のＰｏｌｉｃｙに応じて、任意の順に変更を要求してもよい。
【００７３】
ステップ２９−１３において、ＱｏＳ制御方法決定部６０は、端末装置１１と端末装置１３とのセッションの切断をセッション制御部４０に要求する。
【００７４】
ステップ２９−１４において、ＱｏＳ制御方法決定部６０は、ステップ２９―３又はステップ２９−６又はステップ２９−９又はステップ２９−１２で、端末装置１１（又は、他の端末装置）が受けたセッションに係る条件の変更（又は、接続環境の変更）をＱｏＳ制御の方法として決定し、決定したＱｏＳ制御の方法をセッション制御部４０に通知する。
【００７５】
図３のステップ３０において、セッション制御部４０は、ＱｏＳ制御方法決定部６０によって決定されたＱｏＳ制御の方法が通知された場合には、通知されたＱｏＳ制御の方法に基づいて、端末装置１１と端末装置１３とのセッションを確立する。また、セッション制御部４０は、ＱｏＳ制御方法決定部６０からセッションの切断を要求された場合には、端末装置１１及び端末装置１３にセッションを確立できないことを通知する。
【００７６】
なお、本実施形態において、ＱｏＳ制御方法決定部６０は、セッションに係る条件や接続環境の変更を端末装置１１に要求してから、端末装置１１の回答を受けているが、ＱｏＳ制御の適用可否に関する条件を予め端末装置１１から取得し、その条件に従ってＱｏＳ制御の方法を決定してもよい。
【００７７】
また、本実施形態において、ＱｏＳ制御方法決定部６０は、セッション制御部４０によって通知された情報に基づいて、ＱｏＳ制御の方法を決定しているが、これに限定されず、他のネットワーク装置等に具備されている他のセッション制御部によって通知された情報に基づいて、ＱｏＳ制御の方法を決定してもよい。すなわち、ＱｏＳ制御方法決定部６０は、複数のセッション制御部によって通知されたセッションに係る情報や接続環境に係る情報に基づいて、ＱｏＳ制御の方法を決定してもよい。
【００７８】
（本発明の一実施形態に係るネットワーク装置の作用及び効果）
本実施形態に係るネットワーク装置によれば、ＱｏＳ制御方法決定部６０が、無線基地局２１及び無線基地局２３の負荷情報に基づいてＱｏＳ制御の方法を決定し、セッション制御部４０が、ＱｏＳ制御方法決定部６０によって決定されたＱｏＳ制御の方法に基づいて端末装置１１と端末装置１３との間における通信のＱｏＳ制御を行うことにより、ネットワーク装置１００は、一つの無線基地局のみによってＱｏＳ制御が行われる場合に比べ、通信システム全体として効率的にＱｏＳ制御を行うことができる。
【００７９】
また、セッション制御部４０が、無線基地局の負荷情報に基づいて決定されたＱｏＳ制御の方法に基づいてＱｏＳ制御を行うことにより、ネットワーク装置１００は、無線通信帯域の使用状況をリアルタイムに反映し、動的で柔軟なＱｏＳ制御を行うことができる。
【図面の簡単な説明】
【００８０】
【図１】本実施形態におけるネットワーク装置１００が適用される環境を示す図である。
【図２】本実施形態において、端末装置１１が接続する無線基地局の変更処理を示すフロー図である。
【図３】本実施形態におけるＱｏＳ制御処理を示すフロー図である。
【図４】本実施形態におけるＱｏＳ制御方法の決定処理を示すフロー図である。
【符号の説明】
【００８１】
１１〜１３・・・端末装置、２１〜２３・・・無線基地局、３０・・・位置管理部、４０・・・セッション制御部、５０・・・基地局管理ＤＢ、６０・・・ＱｏＳ制御方法決定部、１００・・・ネットワーク装置
【図１】
2005143056.tif 000003
【図２】
2005143056.tif 000004
【図３】
2005143056.tif 000005
【図４】
2005143056.tif 000006